(57)【要約】【課題】構成部材の減少、製造・組立ての簡略化、及び製造のコストダウンを実現すること。【解決手段】ボール・ナット本体の両端に外から内へ向かって軸方向に延伸する固定グルーブを還流孔に対応して夫々開設し、エンド・プラグの収容設置に供すると共に、本体の両端面に夫々エンドレス・グルーブを開設してワイパー・リングの固設に供し、且つ各エンド・プラグと隣り合わせのワイパー・リングに対応して組合せ構造を設け、各ワイパー・リングと隣り合わせのエンド・プラグを予め組合せた後、本体に装着し、且つワイパー・リングを固定することによって、エンド・プラグを本体の固定グルーブに固定する。【選択図】図２
0003117738.tif 000002
【実用新案登録請求の範囲】
【請求項１】
中空管状を呈する本体を有し、
その内径に螺旋溝を設け、
ボールをその中で転動させ、且つ前記本体の中に螺旋溝を横に跨る還流孔を設置すると共に、
前記本体の両端に対応する還流孔に夫々外から内へ向かって軸方向に延伸する固定グルーブを開設することによって、夫々エンド・プラグを収容設置し、
前記各エンド・プラグの中には夫々還流道があり、
前記各還流道の両端は夫々前記螺旋溝及び還流孔につながり、ボールをその中で循環還流させ、
前記本体の両端面に夫々エンドレス・グルーブを開設することによって、夫々ワイパー・リングを固設し、
各エンド・プラグと隣り合わせのワイパー・リングに対応して組合せ構造を設け、
各ワイパー・リングと隣り合わせるエンド・プラグを組合せた後、本体の中へ軸方向に装着すると共に、ワイパー・リングによってエンド・プラグを固定することを特徴とする、
ボール・ナットのエンド・プラグ固定構造。
【請求項２】
前記本体には、前記各エンドレス・グルーブに対応して夫々一個以上の径方向に貫通するボルト孔を設けることによって、その中にボルトをねじ込んで各ワイパー・リングを固定することを特徴とする、請求項１に記載のボール・ナットのエンド・プラグ固定構造。
【請求項３】
前記各ワイパー・リングの外径には夫々凹槽が設けられ、且つ前記各エンド・プラグと隣り合わせるワイパー・リングの凹槽に対応して夫々突起ブロックを設け、各ワイパー・リングの凹槽と隣り合わせるエンド・プラグの突起ブロックとが相互に嵌りあって前述の組合せ構造を構成することを特徴とする、請求項１に記載のボール・ナットのエンド・プラグ固定構造。
【考案の詳細な説明】
【技術分野】
【０００１】
本考案は、ボール・ナットに関し、特にエンド・プラグとワイパー・リングを予め組合せてからボール・ナットに装着することによって、構成部材を減らし、組立て手順を簡略化出来るボール・ナットのエンド・プラグ固定構造に関するものである。
【背景技術】
【０００２】
図１は、従来のボール・スクリューに組合せるボール・ナットの構造略図である。ボール・ナットには、中空管状を呈する本体８を具備する。その内径にはボール（図示せず）がその中で転動するための螺旋溝８０が設けてあり、且つ本体８の中には螺旋溝８０を横に跨る還流孔８１が設置され、本体８の両端は夫々前記還流孔８１に対応してエンド・プラグ８２が設けられる。各エンド・プラグ８２は夫々還流道８２１を備え、且つ各還流道８２１の両端には螺旋溝８０及び還流孔８１に繋がっていて、ボールがその中で循環還流できるようになっている。
【０００３】
本体８及びエンド・プラグ８２がしっかり結合できるようにするため、前記本体８には前記エンド・プラグ８２の外形に対応して固定グルーブ８３を開設し、前記エンド・プラグ８２が外から内へ向かって軸方向に嵌め込むことが出来るようにしてある。又、本体８及びエンド・プラグ８２に夫々貫通孔及びボルト孔を設けることによって、夫々軸方向に設置した固定ボルト８４及び径方向に設置した固定ボルト８５をねじ込み、エンド・プラグ８２を確実に本体８に固定する。
又、前記本体８の両端には、夫々エンドレス・グルーブ８６を開設してワイパー・リング８７を取り付け、且つボルト８８によってワイパー・リング８７を固定し、異物が本体８内に入り込むのを防止している。
前述ボール・ナットの構造では、本体８とエンド・プラグ８２がしっかり結合できるようにするために、本体８及びエンド・プラグ８２に固定ボルト８４、８５をねじ込む貫通孔及びボルト穴を設置しなければならない。これは製造上の加工工程を増やすだけでなく、組立てに際しては先ずエンド・プラグ８２を取り付け固定してから、ワイパー・リング８７を取り付けなければならない。エンド・プラグ８２又はワイパー・リング８７にかかわらず、何れもボルトによって固定しなければならいので、その取付け手順は実に面倒で不便である。言い換えれば、前述のボール・ナット構造は製造・組立て手順をかなり煩雑にするのみならず、作業能率にも影響して製造コストをアップさせる。
また、エンド・プラグ８２の上には、軸方向及び径方向に貫通する穴の設計を行わなければならない。エンド・プラグ８２自体の構造強度を弱め、特に、コンパクト化したエンド・プラグにとっては、固定ボルト８４、８５の押し付けによって、エンド・プラグ８２の破裂を招き、製品の品質に問題が生じる恐れがある。
従って、製造・組立て手順の簡略化及びコストダウンを達成するためには、前述ボール・ナットの構造は確かに更に改善する必要がある。
【考案の開示】
【考案が解決しようとする課題】
【０００４】
本考案の主要な目的は、ボール・ナットの本体の両端に夫々固定グルーブを開設して、エンド・プラグ及びワイパー・リングを収容設置すると共に、各エンド・プラグと隣り合わせのワイパー・リングに対応する組合せ構造を設け、各ワイパー・リングと隣合わせのエンド・プラグを予め組合せてから本体へ軸方向に取り付け、且つワイパー・リングを固定することによって、エンド・プラグを本体の固定グルーブに固定し、構成部材の減少、製造・組立ての簡略化、及び製造のコストダウンを実現することにある。
本考案の次の目的は、エンド・プラグの組合せ構造によってワイパー・リングと結合させ、エンド・プラグと本体を固定する構造を省略し、ボール・ナットの寸法を縮減できるようにすることにある。
【課題を解決するための手段】
【０００５】
上述した考案の目的を達成できるボール・ナットのエンド・プラグ固定構造は、本体の両端に外から内へ向かって軸方向に延伸する固定グルーブを夫々開設し、エンド・プラグの収容設置に供すると共に、前記本体の両端面に夫々エンドレス・グルーブを開設し、ワイパー・リングを夫々固定できるようにする、且つ各エンド・プラグと隣り合わせのワイパー・リングに対応して組合せ構造を設けることによって、各ワイパー・リングと隣り合わせの各エンド・プラグを組み合せてから、軸方向に本体へ取り付け、且つワイパー・リングによってエンド・プラグ本体の固定グルーブへ固定出来るようにする、このようにして、構成部材の減少、製造・組立て手順の簡略化を行って、コストダウンを実現することが出来る。
【０００６】
すなわち、本願の第１考案は、中空管状を呈する本体を有し、その内径に螺旋
溝を設け、ボールをその中で転動させ、且つ前記本体の中に螺旋溝を横に跨る還流孔を設置すると共に、前記本体の両端に対応する還流孔に夫々外から内へ向かって軸方向に延伸する固定グルーブを開設することによって、夫々エンド・プラグを収容設置し、前記各エンド・プラグの中には夫々還流道があり、前記各還流道の両端は夫々前記螺旋溝及び還流孔につながり、ボールをその中で循環還流させ、前記本体の両端面に夫々エンドレス・グルーブを開設することによって、夫々ワイパー・リングを固設し、各エンド・プラグと隣り合わせのワイパー・リングに対応して組合せ構造を設け、各ワイパー・リングと隣り合わせるエンド・プラグを組合せた後、本体の中へ軸方向に装着すると共に、ワイパー・リングによってエンド・プラグを固定することを特徴とする、ボール・ナットのエンド・プラグ固定構造を提供する。
本願の第２考案は、前記本体には、前記各エンドレス・グルーブに対応して夫々一個以上の径方向に貫通するボルト孔を設けることによって、その中にボルトをねじ込んで各ワイパー・リングを固定することを特徴とする、前記第１考案に記載のボール・ナットのエンド・プラグ固定構造を提供する。
本願の第３考案は、前記各ワイパー・リングの外径には夫々凹槽が設けられ、且つ前記各エンド・プラグと隣り合わせるワイパー・リングの凹槽に対応して夫々突起ブロックを設け、各ワイパー・リングの凹槽と隣り合わせるエンド・プラグの突起ブロックとが相互に嵌りあって前述の組合せ構造を構成することを特徴とする、前記第１考案に記載のボール・ナットのエンド・プラグ固定構造を提供する。
【考案の効果】
【０００７】
本考案は、エンド・プラグと本体を固定する構造を省いて、エンド・プラグの幅を縮減し、更にボール・ナットの寸法を縮減することによって、製造・組立て手順及を簡略化し、製造コストを引き下げることが出来る。
【考案を実施するための最良の形態】
【０００８】
図２及び図３は、本考案に係るボール・ナットのエンド・プラグ固定構造の第一実施例を示す。
【０００９】
ボール・ナットは中空管状を呈する本体１を有し、その内径に螺旋溝１１を設け、ボール（図示せず）をその中で転動させる。且つ本体１の中には螺旋溝１１を横に跨る還流孔１２を設置する。前記エンド・プラグ２を夫々嵌め込むため、前記本体１の両端に還流孔１２に対応して、外から内へ向かって軸方向に延伸する固定グルーブ１３を夫々設置する。前記各エンド・プラグ２には夫々還流道２１を設ける。各還流道２１の両端は夫々前記螺旋溝１１及び還流孔１２と繋がり、ボールがその中で循環還流できるようにする。前記本体１の両端面には夫々エンドレス・グルーブ１４を開設することによって、ワイパー・リング１５を夫々固設する。
【００１０】
本実施例では、前記本体１の各エンドレス・グルーブ１４に対応して夫々一個以上の径方向へ貫通するボルト孔１６を設け、ボルト１７をその中にねじ込んで各ワイパー・リング１５を固定する。
【００１１】
各ワイパー・リング１５の外径には、夫々凹槽１５１を環設し、且つ各エンド・プラグ２と隣り合わせるワイパー・リング１５の凹槽１５１に対応して夫々突起ブロック２２を設け、各ワイパー・リング１５の凹槽１５１と隣り合わせるエンド・プラグ２の突起ブロック２２とが相互に組み合わさることによって、エンド・プラグ２及びワイパー・リング１５の間の組合せ構造を構成する。
【００１２】
図３に示すように、各ワイパー・リング１５と隣り合わせのエンド・プラグ２が先ず組み合わされ、次に本体の中へ軸方向に装着し、且つワイパー・リング１５にたいする固定によって、エンド・プラグ２を本体１の固定グルーブ１３の中に固定する。
【００１３】
本考案の構造設計は、主としてワイパー・リング１５及びエンド・プラグ２に、相互に結合させる組合せ構造を設置し、各ワイパー・リング１５と隣り合わせのエンド・プラグ２が先ず組み合わされてから、本体１の中へ軸方向に取り付け、且つボルト１７でワイパー・リング１５をねじ込んで固定する作用によって、エンド・プラグ２を固定グルーブ１３の中に固定する、こうすることによって、エンド・プラグ２は、従来の技術におけるように軸方向及び径方向の貫通孔で固定ボルトのねじ込みを必要とせず、製造上の加工工程及び固定ボルトの構成部材を減少することが出来、更に従来技術における固定ボルトでエンド・プラグ２を貫通固定する工程を省略することが出来る。
【００１４】
全体的に見て、本考案のワイパー・リング１５及びエンド・プラグ２に対して組合せ構造を設置する設計は、構成部材の減少、製造・組立て手順の簡略化、及び製造コストの引き下げを達成できる。
また、エンド・プラグ２は、組合せ構造によってワイパー・リング１５で固定しているので、従来技術におけるエンド・プラグに設置した軸方向及び径方向の貫通孔を省略してより好ましい構造強度を保持し、エンド・プラグのコンパクト化を行う時強度不足の問題が生じることがない。
【００１５】
勿論、本考案には尚多くの例が存在するが、その間には細部の変化があるだけで、例えば、図４に示すように、本考案の第二実施例において、各ワイパー・リング１５Ａと隣り合わせるエンド・プラグ２Ａが接触する側に夫々カム・リング１５１Ａを設け、且つ各エンド・プラグ２Ａが夫々対応する隣り合わせのワイパー・リング１５Ａのカム・リング１５１Ａに孤形凹槽２２Ａを設けることによって、各ワイパー・リング１５Ａのカム・リング１５１Ａが隣り合わせのエンド・プラグ２Ａの孤形凹槽２２Ａと相互に前述の組合せ構造を構成する。
こうすれば、前述第一実施例と同等の効果を達成できるほか、更にエンド・プラグ２Ａと本体を固定する構造を省いて、エンド・プラグ２Ａの幅を縮減し、更にボール・ナットの寸法を縮減することが出来る。
【００１６】
図５は、本考案の第三実施例であり、各ワイパー・リング１５Ｂと隣り合わせるエンド・プラグ２Ｂが接触する側に夫々カム・リング１５１Ｂを設け、且つ各エンド・プラグ２Ｂが夫々対応する隣り合わせのワイパー・リング１５Ｂのカム・リング１５１Ｂに孤形凹槽２２Ｂを設けることによって、各ワイパー・リング１５Ｂのカム・リング１５１Ｂが隣り合わせのエンド・プラグ２Ｂの孤形凹槽２２Ｂと相互に前述の組合せ構造を構成する、このようにしても、前述実施例と同等の効果を達成できる。
【００１７】
図６は、本考案第四実施例であり、各ワイパー・リング１５Ｃと隣り合わせるエンド・プラグ２Ｃが接触する側に夫々穴１５１Ｃを設け、且つ各エンド・プラグ２Ｃが夫々対応する隣り合わせのワイパー・リング１５Ｃの穴１５１Ｃにピン２２Ｃを設けることによって、各ワイパー・リング１５Ｃと隣り合わせのエンド・プラグ２Ｃがピン２２Ｃによって穴１５１Ｃと結合し、前述の組合せ構造を構成する、このようにしても、前述実施例と同等の効果を達成できる。
【００１８】
図７は、本考案第五実施例であり、各ワイパー・リング１５Ｄと隣り合わせるエンド・プラグ２Ｄが接触する側に夫々収容槽１５１Ｄを設けることによって、夫々エンド・プラグ２Ｄをその中に収容し、前述の組合せ構造を構成する、このようにしても、前述実施例と同等の効果を達成できる。
【００１９】
以上に述べた実施例の開示は、本考案を説明するもので、本考案を制限するものではない、従って、凡そ数値の変化及び等価素子の置き換えなどは、やはり本考案の範疇に隷属するものとする。
【図面の簡単な説明】
【００２０】
【図１】従来のボール・ナットの斜視分解図である。
【図２】本考案第一実施例のボール・ナットの斜視分解図である。
【図３】本考案第一実施例のワイパー・リングとエンド・プラグが結合した略図である。
【図４】本考案第二実施例のワイパー・リングとエンド・プラグが結合した略図である。
【図５】本考案第三実施例のワイパー・リングとエンド・プラグが結合した略図である。
【図６】本考案第四実施例のワイパー・リングとエンド・プラグが結合した略図である。
【図７】本考案第五実施例のワイパー・リングとエンド・プラグが結合した略図である。
【符号の説明】
【００２１】
１・・・・・・・本体
１１・・・・・・螺旋溝
１２・・・・・・還流孔
１３・・・・・・固定グルーブ
１４・・・・・・エンドレス・グルーブ
１５・・・・・・ワイパー・リング
１５Ａ・・・・・ワイパー・リング
１５Ｂ・・・・・ワイパー・リング
１５Ｃ・・・・・ワイパー・リング
１５Ｄ・・・・・ワイパー・リング
１５１・・・・・凹槽
１５１Ａ・・・・カム・リング
１５１Ｂ・・・・凹槽
１５１Ｃ・・・・穴
１５１Ｄ・・・・収容槽
１６・・・・・・ボルト穴
１７・・・・・・ボルト
２・・・・・・・エンド・プラグ
２Ａ・・・・・・エンド・プラグ
２Ｂ・・・・・・エンド・プラグ
２Ｃ・・・・・・エンド・プラグ
２Ｄ・・・・・・エンド・プラグ
２１・・・・・・還流道
２２・・・・・・突起ブロック
２２Ａ・・・・・凹槽
２２Ｂ・・・・・突起ブロック
２２Ｃ・・・・・ピン
８・・・・・・・本体
８０・・・・・・螺旋溝
８１・・・・・・還流孔
８２・・・・・・エンド・プラグ
８２１・・・・・還流道
８３・・・・・・固定グルーブ
８４・・・・・・固定ボルト
８５・・・・・・固定ボルト
８６・・・・・・エンドレス・グルーブ
８７・・・・・・ワイパー・リング
８８・・・・・・ボルト
【図１】
0003117738.tif 000003
【図２】
0003117738.tif 000004
【図３】
0003117738.tif 000005
【図４】
0003117738.tif 000006
【図５】
0003117738.tif 000007
【図６】
0003117738.tif 000008
【図７】
0003117738.tif 000009